(57)【要約】【課題】親綱を高張力状態に張設することができる係止具を提供することである。【解決手段】親綱１の端部に連結される連結用フック３１と係合対象物Ａ２  に係合される係止用フック３２との間に増締め具３３を設ける。増締め具３３を操作して連結用フック３１を係止用フック３２側に引き寄せて一対の係合対象物Ａ１  、Ａ２  間に張設された親綱１を緊張させる。【選択図】  図１
2004358119.tif 000002
【特許請求の範囲】
【請求項１】
親綱の端部に連結される連結用フックと係合対象物に係合される係止用フック間に前記連結用フックを係止用フックに向けて引き寄せる増締め具を設けた親綱張設用係止具。
【請求項２】
前記増締め具が、連結用フックが係合される係合部を一端部に有し、他端部にねじ孔が形成された第１連結具と、その第１連結具のねじ孔にねじ係合されたねじ棒と、そのねじ棒に一端部が回動自在に連結され、他端部が係止用フックに連結された第２連結具とから成る請求項１に記載の親綱張設用係止具。
【請求項３】
前記増締め具が、両端部に逆ねじが形成されたねじ棒と、一端部に連結用フックが係合される係合部が設けられ、他端部にねじ棒の一端部がねじ係合されるねじ孔が設けられた第１連結具と、一端部にねじ棒の他端部がねじ係合されるねじ孔が形成され、他端部が係止用フックに連結された第２連結具とから成る請求項１に記載の親綱張設用係止具。
【請求項４】
前記増締め具が、操作枠の両端部に逆ねじが形成された一対のねじ棒をねじ係合したターンバックルから成り、一方のねじ棒の先端部に連結用フックが係合される係合部を設け、他方のねじ棒の先端部を係止用フックに連結した構成から成る請求項１に記載の親綱張設用係止具。
【請求項５】
前記増締め具が、巻胴および巻胴の回転方向を一方向に規制するラチェット機構を有するロープ巻取器と、そのロープ巻取器の巻胴に一端部が固定され、他端部が係止用フックに連結されたロープとから成り、前記ロープ巻取器に連結用フックが係合される係合部が設けられた構成から成る請求項１に記載の親綱張設用係止具。
【発明の詳細な説明】
【０００１】
【発明の属する技術分野】
この発明は、墜落防止用親綱の一端部を係合対象物に対して係止する親綱張設用係止具に関するものである。
【０００２】
【従来の技術】
一般に、建設現場などの高所で作業を行なう場合、その作業位置に親綱を張設し、一方、作業者の腰部に巻付けた高所作業用安全帯にはフック付きロープを接続し、そのロープ先端のフックを前記親綱に係合して作業者の墜落を防止する安全対策が図られている。
【０００３】
上記親綱の張設に際し、親綱緊張器が用いられる。その親綱緊張器として、緊張器本体に設けられた一対の側板間にロープ反転ガイドと、そのロープ反転ガイドに対して揺動可能な係合爪とを設け、上記係合爪をスプリングによりロープ反転ガイドに向けて付勢したものが従来から知られている（特許文献１参照）。
【０００４】
上記親綱緊張器を用いる親綱張設装置においては、親綱の一端部に連結されたフックと親綱緊張器に連結されたフックのそれぞれを構築物等の固定の係合対象物に係合し、親綱の他端部を親綱緊張器のロープ反転ガイドの外周に沿わせて折り返し、その折り返し側端部を引く操作によって親綱を緊張させたのち、その親綱に係合爪を係合させて親綱を緊張状態に保持するようにしている。
【０００５】
【特許文献１】
特許第２５６５７３９号公報
【０００６】
【発明が解決しようとする課題】
ところで、上記のような親綱張設装置においては、親綱の折り返し側端部の引張り力を解除させたとき、係合爪は親綱に付与される張力により係合方向に揺動して親綱の折り返し側端部に強く係合するため、上記係合爪が強く係合するまでの間で親綱に弛みが生じ、親綱を高張力状態に張設することができない。この場合、作業者が万一落下すると、作業者の落下距離が大きくなり、作業者が受け止められたときの衝撃が大きく、その衝撃によって作業者が怪我をし、あるいは親綱が切断する危険がある。
【０００７】
この発明の課題は、親綱を高張力状態に張設することができるようにした親綱張設用係止具を提供することである。
【０００８】
【課題を解決するための手段】
上記の課題を解決するために、この発明においては、親綱の端部に連結される連結用フックと係合対象物に係合される係止用フック間に前記連結用フックを係止用フックに向けて引き寄せる増締め具を設けた構成を採用したのである。
【０００９】
上記の構成から成る親綱張設用係止具は、親綱を緊張状態に保持する親綱緊張器に連結用フックを連結し、あるいは親綱の係合対象物に係合される側の端部に連結用フックを予め取付けておき、係合対象物に係止用フックを係合させて、対設する一対の係合対象物間において親綱を張設する。その親綱の張設後、増締め具を操作することにより、連結用フックが係止用フック側に引き寄せられるため、親綱を緊張させることができる。
【００１０】
この発明に係る親綱張設用係止具において、増締め具として、連結用フックが係合される係合部を一端部に有し、他端部にねじ孔が形成された第１連結具と、その第１連結具のねじ孔にねじ係合されたねじ棒と、そのねじ棒に一端部が回動自在に連結され、他端部が係止用フックに連結された第２連結具とから成り、前記ねじ棒の回転によって連結用フックを係止用フック側に引き寄せるようにしたものを採用することができる。
【００１１】
また、上記増締め具として、両端部に逆ねじが形成されたねじ棒と、一端部に連結用フックが係合される係合部が設けられ、他端部にねじ棒の一端部がねじ係合されるねじ孔が設けられた第１連結具と、一端部にねじ棒の他端部がねじ係合されるねじ孔が形成され、他端部が係止用フックに連結された第２連結具とから成り、前記ねじ棒を回転させて、連結用フックを係止用フック側に引き寄せるようにしたものを採用することができる。
【００１２】
上記増締め具においては、ねじ棒の回転によって、そのねじ棒が係止用フック側に移動すると共に、連結用フックもねじ棒に沿って係止用フック側に移動するため、連結用フックの移動量はねじ棒の移動量の２倍となり、親綱の増締め作業を能率よく行なうことができる。
【００１３】
さらに、増締め具として、ターンバックルやロープ巻取器とそのロープ巻取器によって巻取られるロープとから成るものを採用することができる。
【００１４】
【発明の実施の形態】
以下、この発明の実施の形態を図面に基づいて説明する。図１は親綱張設装置を示す。親綱張設装置は、一端部にフック２が連結された親綱１と、その親綱１の他端部を係止保持する親綱緊張器１０とを有し、上記親綱緊張器１０に連結具２０を介してこの発明に係る親綱張設用係止具３０が連結されている。
【００１５】
図２に示すように、親綱緊張器１０は、一対の側板１２の一側縁間に断面Ｕ字形の第１ロープ案内部１３を設けると共に、側板１２の他側縁間に平板状の第２ロープ案内部１４を設けて緊張器本体１１を形成し、その緊張器本体１１の一対の側板１２間に半円形のロープ反転ガイド１５と、一対の側板１２により両端部が支持された軸１６を中心にして揺動可能な係合爪１７とを設け、その係合爪１７を軸１６に支持されたスプリング１８によって係合方向に付勢している。
【００１６】
上記親綱緊張器１０は、第１ロープ案内部１３に挿通されてロープ反転ガイド１５の外周に沿って折り返される親綱１の折り返し側端部１ａを第２ロープ案内部１４と係合爪１７とで挟持することにより親綱１を張設状態に保持するようになっている。
【００１７】
連結具２０は、一対のコの字形枠２１ａ、２１ｂと、そのコの字形枠２１ａ、２１ｂの板体２２を回転自在に支持する連結軸２３から成り、一方のコの字形枠２１ａが軸２４を介して緊張器本体１１に屈曲自在に連結されている。
【００１８】
図１に示すように、係止具３０は、連結用フック３１と係止用フック３２とを増締め具３３で連結した構成とされ、前記連結用フック３１の後端部には図２に示すように連結孔３４が形成され、その連結孔３４に挿通されるピン３５を介して連結用フック３１が連結具２０の他方のコの字形枠２１ｂに屈曲自在に連結されている。
【００１９】
図３および図４に示すように、増締め具３３は、第１連結具３６と、第２連結具３７と、その第１連結具３６および第２連結具３７を連結するねじ棒３８とから成る。
【００２０】
第１連結具３６は、ねじ孔４０を有する筒体３９の端部に二股片４１を設け、その二股片４０の先端部間に連結用フック３１が係合される係合部としての係合ピン４２を設けている。
【００２１】
ねじ棒３８は第１連結具３６のねじ孔４０にねじ係合されている。このねじ棒３８にはカラー４３が取付けられ、そのカラー４３およびねじ棒３８に係合孔４４が設けられ、その係合孔４４にシノ等の工具を挿入して回転させることによってねじ棒３８が回転される。
【００２２】
第２連結具３７はコの字形をなし、一対の側板３７ａ間に渡る板体３７ｂがねじ棒３８に回転自在に連結され、一対の側板３７ａの先端部間に渡されたピン４５が係止用フック３２の後端部に形成された連結孔４６に挿通されて、係止用フック３２に第２連結具３７が屈曲自在に連結されている。
【００２３】
実施の形態で示す親綱張設装置は上記の構造から成り、親綱１の張設に際しては、図１に示すように、対向配置の係合対象物Ａ１  、Ａ２  の一方に親綱１の一端部に連結されたフック２を係合すると共に、係合対象物Ａ１  、Ａ２  の他方に親綱緊張器１０に連結された係止具３０の係止用フック３２を係合する。
【００２４】
各フック２、３２の係合後、親綱１の他端部を親綱緊張器１０の第１ロープ案内部１３内に挿通し、その他端部をロープ反転ガイド１５の外周に沿わせて折り返し、その折り返し側端部１ａを第２ロープ案内部１４と係合爪１７間に挿通し、第２ロープ案内部１４から外側に引き出された折り返し側端部１ａに引張り力を付与して、親綱１を緊張させる。
【００２５】
親綱１の緊張後、折り返し側端部１ａに対しての引張り力を解除すると、係合爪１７が親綱１の折り返し側端部１ａに係合し、その係合によって親綱１は緊張状態に保持される。
【００２６】
ここで、係合爪１７は、親綱１に付与される張力により係合方向に揺動して親綱１に強く係合する構成であるため、その係合爪１７が親綱１に強く係合するまでの間で親綱１に弛みが生じる。
【００２７】
そこで、親綱１の張設後、係止具３０の増締め具３３を操作して親綱１を再度緊張させる増締め作業を行なう。
【００２８】
親綱１の増締めに際しては、図３および図４に示す増締め具３３のねじ棒３８を回転させて第１連結具３６を第２連結具３７側に引き寄せる。このとき、第１連結具３６に連結用フック３１が連結され、その連結用フック３１に連結具２０を介して親綱緊張器１０が連結されているため、親綱緊張器１０も係止用フック３２側に引き寄せられることになり、その親綱緊張器１０の引き寄せによって親綱１は緊張される。
【００２９】
このように、増締め具３３を操作することによって親綱１を緊張させることができるため、親綱１を高張力状態に保持することができる。
【００３０】
また、ねじ棒３８を回転させることによって親綱１が増締めされるため、増締め作業が容易である。
【００３１】
なお、ねじ棒３８が振動等によって弛み方向に回転すると、係合爪１７は親綱１に付与された張力によって強く係合する方向に揺動し、その揺動によって親綱１に多少の弛みが生じる。その防止対策として、ねじ棒３８にロックナットをねじ係合し、そのロックナットの締付けによってねじ棒３８をロックさせるのが好ましい。
【００３２】
図５乃至図７は、この発明に係る係止具３０の増締め具３３の他の例を示す。
【００３３】
図５に示す増締め具３３は、両端部に逆ねじが形成されたねじ棒６０と、そのねじ棒６０の一端部に連結された第１連結具６１と、ねじ棒６０の他端部に連結された第２連結具６２とから成る。
【００３４】
第１連結具６１は、ねじ棒６０の一端部がねじ係合されるねじ孔６４を有する筒体６３の端部に二股片６５を設け、その二股片６５の先端部間に連結用フック３１が係合される係合部としての係合ピン６６を設けている。
【００３５】
また、第２連結具６２は、ねじ棒６０の他端部がねじ係合されるねじ孔６８を有する筒体６７の端部に二股片６９を設け、その二股片６９の先端部間に係止用フック３２の連結孔４６に挿通されるピン６９ａを設けている。
【００３６】
上記の構成から成る増締め具３３において、ねじ棒６０を回転させることにより、第１連結具６１を介して連結用フック３１を係止用フック３２側に引き寄せることができる。
【００３７】
したがって、連結用フック３１を図１に示す親綱緊張器１０に連結する使用において、ねじ棒６０の回転によって親綱１を緊張させることができる。この場合、ねじ棒６０の回転によってそのねじ棒６０が軸方向に移動すると共に、第１連結具６１もねじ棒６０に対して移動するため、第１連結具６１はねじ棒６０の移動量の２倍移動することになり、親綱１の増締め作業を能率よく行なうことができる。
【００３８】
なお、上記増締め具３３においてもねじ棒６０にロックナットをねじ係合してねじ棒６０が弛み方向に回転するのを防止するのが好ましい。
【００３９】
図６に示す増締め具３３は、操作枠７０の両端部に逆ねじが形成された一対のねじ棒７１、７２をねじ係合したターンバックルから成り、一方のねじ棒７１の先端部に設けた二股片７３に連結用フック３１が係合される係合部としての係合ピン７４を設け、他方のねじ棒７２の先端部に設けた二股片７５に係止用フック３２に連結されるピン７６を設け、前記操作枠７０の回転により連結用フック３１を係止用フック３２側に引き寄せて図１に示す親綱１を緊張させる。
【００４０】
上記増締め具３３においても図５に示す増締め具３３と同様に親綱１を能率よく増締めすることができる。
【００４１】
図７（Ｉ）、（ＩＩ）に示す増締め具３３はロープ巻取器８０と、そのロープ巻取器８０に巻取られるロープ８１とから成っている。
【００４２】
ロープ巻取器８０は、コの字形の支持枠８２によってロープ８１の一端部が固定された巻胴８３を回転自在に支持し、その巻胴８３の胴軸８３ａと支持枠８２の相互間に巻胴８３の回転方向を一方向に規制するラチェット機構８４を設けている。ラチェット機構８４は、胴軸８３ａに固定された爪車８５と、支持枠８２によって爪軸８６ａが回転自在に支持された爪８６と、その爪８６が爪車８５と係合する方向に爪軸８６ａを一方向に付勢するスプリング８７とから成っている。
【００４３】
上記増締め具３３は、ロープ巻取器８０に連結された係合部としての連結リング８８に連結用フック３１を連結し、ロープ８１の先端部を係止用フック３２に連結し、巻胴８３の回転によるロープ８１の巻取りにより、連結用フック３１を係止用フック３２側に引き寄せ、その引き寄せによって図１に示す親綱１を緊張させる。
【００４４】
実施の形態では、この発明に係る係止具３０を親綱緊張器１０に連結する場合を例にとって説明したが、上記係止具３０を図１に示す親綱１の左側の一端部に連結するようにしてもよい。この場合、親綱１の他端部はフックが連結された親綱緊張器を介して係合対象物Ａ２  に係止させるようにしてもよく、あるいは、その他端部を係合対象物Ａ２  に縛り付けることによって係止させるようにしてもよい。
【００４５】
【発明の効果】
以上のように、この発明においては、増締め具を操作することによって親綱に連結される連結用フックを係合対象物に係止される係止用フック側に引き寄せることができるため、親綱を高張力状態に張設することができる。
【図面の簡単な説明】
【図１】この発明に係る係止具を採用した親綱張設装置の正面図
【図２】図１の親綱緊張器の詳細を示す縦断正面図
【図３】図１に示す係止具の一部を拡大して示す一部切欠正面図
【図４】図３の一部切欠平面図
【図５】増締め具の他の例を示す一部切欠正面図
【図６】増締め具の他の例を示す正面図
【図７】（Ｉ）は増締め具のさらに他の例を示す正面図、（ＩＩ）は（Ｉ）の一部分を拡大して示す平面図
【符号の説明】
３１  連結用フック
３２  係止用フック
３３  増締め具
３６  第１連結具
３７  第２連結具
３８  ねじ棒
４０  ねじ孔
４２  係合ピン（係合部）
６０  ねじ棒
６１  第１連結具
６４  ねじ孔
６６  係合ピン（係合部）
６８  ねじ孔
７０  操作枠
７１  ねじ棒
７２  ねじ棒
７４  係合ピン（係合部）
８０  ロープ巻取器
８１  ロープ
８３  巻胴
８４  ラチェット機構
８８  連結リング（係合部）
【図１】
2004358119.tif 000003
【図２】
2004358119.tif 000004
【図３】
2004358119.tif 000005
【図４】
2004358119.tif 000006
【図５】
2004358119.tif 000007
【図６】
2004358119.tif 000008
【図７】
2004358119.tif 000009